(57)【要約】【課題】      磯や岩場でも用いることができ、カニに警戒心を持たせることなく、捕獲することができるカニ捕獲漁具を提供する。【解決手段】  本考案は、餌を収納可能な略紡錘型のカゴ体と、該カゴ体との間にカニを挟んで捕獲し得る少なくとも２本の捕獲テグスとを備えたカニ捕獲漁具であって、カゴ体の第一の極に、摺動部材を内蔵した中空の柄が連結され、捕獲テグスが、第二の極から第一の極へ配備され、第一の極で集束した捕獲テグスが、前記柄の内部の摺動部材を介して、操作ワイヤーと連結し、操作ワイヤーの柄から露出した部分を柄の略軸方向に前後することによって、捕獲テグスとカゴ体との間に、カニを捕獲可能な間隙を設けたり、カニを挟むことが可能なように、緩緊自在に捕獲テグスを操作することができる、前記カニ捕獲漁具に関する。【選択図】    図３
0003105732.tif 000002
【実用新案登録請求の範囲】
【請求項１】
餌を収納可能な略紡錘型のカゴ体と、該カゴ体との間にカニを挟んで捕獲し得る少なくとも２本の捕獲テグスとを備えたカニ捕獲漁具であって、
カゴ体の第一の極に、摺動部材を内蔵した中空の柄が連結され、
捕獲テグスが、第二の極から第一の極へ配備され、
第一の極で集束した捕獲テグスが、前記柄の内部の摺動部材を介して、操作ワイヤーと連結し、
操作ワイヤーの柄から露出した部分を柄の略軸方向に前後することによって、捕獲テグスとカゴ体との間に、カニを捕獲可能な間隙を設けたり、カニを挟むことが可能なように、緩緊自在に捕獲テグスを操作することができる、前記カニ捕獲漁具。
【請求項２】
カゴ体が、餌を収容する第一室および天然または人工の水生植物を収容する第二室を備えた、請求項１に記載のカニ捕獲漁具。
【請求項３】
捕獲テグスが４本であって、カゴ体を略四等分する位置に配備されている、請求項２に記載のカニ捕獲漁具。
【請求項４】
餌を収納可能な略紡錘型のカゴ体と、該カゴ体との間にカニを挟んで捕獲し得る少なくとも２本の捕獲テグスとを備えたカニ捕獲漁具であって、
カゴ体の第二の極において中心軸方向に連結された内部シャフトと、外側を摺動する摺動部材に当接し得るトリガー節部を備えた外部シャフトとを含む二重シャフトを備え、
捕獲テグスが、第二の極から第一の極へ配備され、
第一の極で集束した捕獲テグスが、前記摺動部材に連結され、
摺動部材がトリガー節部に当接され、摺動することによって、捕獲テグスとカゴ体との間に、カニを捕獲可能な間隙を設けたり、カニを挟むことが可能なように、緩緊自在に捕獲テグスを操作することができる、前記カニ捕獲漁具。
【請求項５】
カゴ体の第一室に、うつぼ返しを備えた、請求項４に記載のカニ捕獲漁具。
【考案の詳細な説明】
【技術分野】
【０００１】
本考案は、小型カニ捕獲漁具、特に、磯や岩場であっても容易にカニを捕獲することができるカニ捕獲漁具に関する。
【背景技術】
【０００２】
日本海流と対馬海流の暖流が洗う日本列島の岩礁、及び全国の河川にはさまざまな甲殻類が棲息していることが知られており、特に小型カニでは、磯の「ショウジンカニ」や川の「モクズカニ」は食用に供される美味な素材として知られている。しかしその捕獲漁法は、市場に出回る深海の大型カニと異なり、地域性、僅少な捕獲量などの条件から定まったものがなく、地方ごとに伝承される捕獲の確実性の乏しい漁具・漁法しかないのが現状であった。
【０００３】
川岸、磯辺、浜辺などにおける各種漁法は、釣り竿や網による魚類の捕獲や、潮干狩りによる貝の採取などが主流であるが、比較的浅い岩場に棲息する敏捷な小型カニについては、その捕獲法に確実性のあるものが存在しなかった。
特に、食用にも供されるショウジンカニは岩手以南の磯場に棲息し、また、モクズカニは全国の河川に棲息するが、これらの食用小型カニを主目的とした捕獲漁法は存在しなかった。ショウジンカニはイセエビ網に目的外獲物として捕獲されるのが一般的であったし、モクズカニは川の流れを石の堰で変えて、竹カゴに誘い込む漁法等が一般的であった。
【０００４】
従来、カニを小規模で捕獲する場合、直接手で捕まえたり、魚のように釣り上げたり、網や銛などを用いることによって行われてきた。特に食用カニを捕獲する場合は、カニの鮮度がその商品価値に大きく影響するため、カニを傷つけることなく生きたまま捕獲することが重要で銛などは用いることができない。また、岩場や磯などでは障害物が多く網を用いることもできない。このような状況下であってもカニを捕獲できるように、これまで種々のカニ捕獲漁具が開発されてきた。
例えば、特許文献１には、幾重ものテグスの輪を花びら状に広げ、餌で誘引し、カニがテグスに絡まるのをまって釣り上げるカニ釣りネットが開示されている。しかしこれは、単に花びら状に加工したテグスを釣り針の代用として用いているだけであり、カニの捕獲の確実性に欠けるものであった。
【０００５】
また特許文献２には、より積極的にカニを捕まえるカニ取りはさみが開示されている。このカニ取りはさみは、柄の先端部に柵状の開閉部分を設け、該開閉部分を開いた状態でカニのいる領域にあてて、この領域全体を掴むように開閉部分が閉じて、カニを捕獲するものである。しかし、このようなカニ取りはさみは、前記領域内に岩などの障害物がある場合にはカニを捕獲することができないし、また、ゴムひもを開閉の動力として用いているため、硬い開閉部分が勢いよく閉じてしまいカニを死傷させる虞があった。
さらに、このような柵状の部材で挟んでカニを捕らえるのではなく、ひも状の部材で縛るように捕獲するタイプのカニ捕獲漁具も考案されてきており、例えば、柄の先端部のカニを捕獲する部分を輪状の可撓線条にし、手元の操作で、該可撓線条を閉じてカニを捕獲することを可能にしたもの（特許文献３）、複数の捕獲輪を備えたもの（特許文献４）、さらにカニを誘引するための餌箱を備え、該餌箱とループ状天蚕糸との間にカニを把持するもの（特許文献５）などが挙げられる。
【０００６】
これらの捕獲漁具は、餌でカニを誘引することを可能にしているが、餌にアプローチするカニのうち、一定の方向から寄ってくるカニしか捕獲できず、また、捕獲漁具の構成部材が露出した状態であるため、警戒心の強いカニに対しては、ほとんど役に立たない。
【特許文献１】実開昭４９−２９０７２号公報
【特許文献２】実開昭５０−１６０９３号公報
【特許文献３】実開昭５６−４８７７３号公報
【特許文献４】実開昭６１−８９２７４号公報
【特許文献５】実開昭５６−３３０７６号公報
【考案の開示】
【考案が解決しようとする課題】
【０００７】
従って、本考案が解決しようとする課題は、磯や岩場でも用いることができ、カニに警戒心を持たせることなく、捕獲することができるカニ捕獲漁具を提供することである。
【課題を解決するための手段】
【０００８】
本考案者は、略紡錘型のカゴ体に餌と水生植物とを収容し、捕獲テグスをカゴ体の経線方向にループ状に取巻くように備えることで、カニの警戒心を除きながら、カニがどの方向から餌にアプローチしても、カニがカゴ体を抱きかかえた状態になり、的確にカニを捕獲することができることを見出し、さらに鋭意研究を重ねた結果、本考案を完成するに至った。
【０００９】
即ち、本考案は、餌を収納可能な略紡錘型のカゴ体と、該カゴ体との間にカニを挟んで捕獲し得る少なくとも２本の捕獲テグスとを備えたカニ捕獲漁具であって、カゴ体の第一の極に、摺動部材を内蔵した中空の柄が連結され、捕獲テグスが、第二の極から第一の極へ配備され、第一の極で集束した捕獲テグスが、前記柄の内部の摺動部材を介して、操作ワイヤーと連結し、操作ワイヤーの柄から露出した部分を柄の略軸方向に前後することによって、捕獲テグスとカゴ体との間に、カニを捕獲可能な間隙を設けたり、カニを挟むことが可能なように、緩緊自在に捕獲テグスを操作することができる、前記カニ捕獲漁具に関する。
さらに本考案は、カゴ体が、餌を収容する第一室および天然または人工の水生植物を収容する第二室を備えた、前記のカニ捕獲漁具に関する。
また本考案は、捕獲テグスが４本であって、カゴ体を略四等分する位置に配備されている、前記のカニ捕獲漁具に関する。
【００１０】
さらに本考案は、餌を収納可能な略紡錘型のカゴ体と、該カゴ体との間にカニを挟んで捕獲し得る少なくとも２本の捕獲テグスとを備えたカニ捕獲漁具であって、カゴ体の第二の極において中心軸方向に連結された内部シャフトと、外側を摺動する摺動部材に当接し得るトリガー節部を備えた外部シャフトとを含む二重シャフトを備え、捕獲テグスが、第二の極から第一の極へ配備され、第一の極で集束した捕獲テグスが、前記摺動部材に連結され、摺動部材がトリガー節部に当接され、摺動することによって、捕獲テグスとカゴ体との間に、カニを捕獲可能な間隙を設けたり、カニを挟むことが可能なように、緩緊自在に捕獲テグスを操作することができる、前記カニ捕獲漁具に関する。
また本考案はカゴ体の第一室に、うつぼ返しを備えた、前記のカニ捕獲漁具に関する。
【考案の効果】
【００１１】
本考案のカニ捕獲漁具は、上記の構成を採用することにより、略紡錘型のカゴ体にカニが抱きつきやすく、また、捕獲テグスが、第二の極から第一の極へ、カニを捕獲可能な間隙をカゴ体との間に設けながら配備され、カゴ体全体を覆うように緩緊自在であることから、カニがどの方向からカゴ体にアプローチしてきても的確にカニを捕獲することができる。また、カニがカゴ体を抱きかかえることにより、緩緊する捕獲テグスが、比較的硬いカニの甲羅の外側にしか接触しないことから、カニをほとんど無傷で捕獲することができる。またカゴ体が略紡錘型であるため、捕獲テグスがカゴ体に密着した状態でカニを挟むことができ、カニを逃すことがなくなる。さらに挟む際に絡まることなく、捕獲テグスとカゴ体との間に、カニを捕獲可能な間隙を設けたり、カニを挟むことが容易で、連続的に捕獲作業を行うことが可能である。
【００１２】
このように捕獲動作を連続的かつスムーズに行うことが可能であり、レジャー目的、商業用目的などの目的の如何に拘らず、効果的にカニを捕獲することを可能にするものである。さらに、カゴ体に餌や水生植物を収容することにより、カニを誘引し、また、その警戒心を薄れさせることができ、捕獲を容易にする。
また、うつぼ返しを備えることで、本考案のカニ捕獲漁具を水中に沈めておいた場合でも、うつぼなどカニ以外の生物の接近を避けることができ、カニだけを選択的に捕獲することが可能である。
【考案を実施するための最良の形態】
【００１３】
以下、本考案にかかるカニ捕獲漁具について図面に基づき説明するが、本考案はこれらに限定されるものではない。
（実施態様１）
図１〜３は、本考案のカニ捕獲漁具の一態様である絡め取り型漁具を示す。
図１に示すように、本考案のカニ捕獲漁具の一態様において、略紡錘型のカゴ体１０の一方の極（第一の極）１１に連結部２１を介して中空の柄２０が連結されている。柄２０は、カゴ体１０と一体成形されていてもよく、捕獲したカニを持ち上げた際に生じる荷重に耐え得る強度を備えていればよい。
またカゴ体１０には、第一の極１１に対向する第二の極１２において、カニ捕獲漁具を使用する際に接地する支持突起１３が設けられていてもよい。
【００１４】
カゴ体１０は、典型的には略紡錘型であるが、両極または一方の極が平らである提灯型、両極の中央部を境に径の大きさの異なる卵型などであってもよい。またカゴ体１０は、餌や水生植物を入れるための扉１９を有しており、さらに開閉自在の仕切り１６で、餌と水生植物とを別の部屋に入れるために、例えば、餌を収容する第一室１７と水生植物を収容する第二室１８とに分けられていてもよい。なお、カゴ体１０のカゴの目の大きさは、餌や水生植物が外に出ず、カニが容易に餌を引き出せない程度で適宜選択することができる。本明細書でいう水生植物とは、海水中または淡水中で生育する植物（天然のもの）またはそれを模したもの（人工のもの）を意味し、一般に、海草、水草、藻などと称されるものを含む。水生植物の種類は、カニの警戒心を和らげるものであれば特に限定されないが、捕獲対象のカニの生活圏で生育しているものが好ましい。
【００１５】
捕獲テグス３０は、支持突起１３の根元付近に設けられた下部スイベルフック１４に結び付けられ、第二の極１２から第一の極１１へ配備され、第一の極１１にある穴１５を通って集束し、中空の柄２０に内蔵された摺動部材２２を介して、操作ワイヤー４０と連結している。
捕獲テグス３０を、略四等分の方向にカゴ体曲面に合わせて、緩緊を円滑に行うためには、穴１５を通すことが好ましい。
【００１６】
摺動部材２２は、捕獲テグス３０と操作ワイヤー４０とを連結していれば、特に限定されないが、捕獲テグス３０を結ぶ上部フック２３、該上部フック２３をスイベル２５に接続する第一接続部材２４、スイベル２５、スイベル２５と操作ワイヤー４０を接続する第二接続部材２６からなっていてもよい。さらにまた集束した捕獲テグス３０の撚れや絡まりを防ぐため、捕獲テグス相互の間隔を開けて一本一本を別つガイドチューブ２７を備えていてもよい。
【００１７】
柄２０は、図２Ａに示すとおり、連結部２８で継ぎ足されていてもよく、柄２０が適当な長さに折畳め、持ち運びが便利になるように、適当な間隔で連結部２８を複数設けていてもよい。また、操作ワイヤー４０を適当な間隔でスイベル２９で繋ぐことにより、操作ワイヤー４０が捩れることを防ぐことができる。
図２Ｂは、柄２０のカゴ体１０から遠位の端部を示している。該端部では、操作ワイヤー４０は、一部を引出し口４１から柄２０の外部へ引き出されており、その末端が固定金具４２を用いて、ループ４３を形成させている。該ループ４３に操作把手４４を通していてもよい。
【００１８】
操作ワイヤー４０の柄２０から露出した部分を柄２０の略軸方向に前後することによって、捕獲テグス３０とカゴ体１０との間に、カニを捕獲可能な間隙を設けたり（図３Ａ）、カニを挟むことが可能なように（図３Ｂ）、緩緊自在に捕獲テグスを操作することができる（図３Ａおよび３Ｂ）。
即ち、操作ワイヤー４０を柄２０に挿入すると、操作ワイヤー４０に加えた力がほとんど失われることなく摺動部材２２に伝わり、摺動部材２２が柄２０の中をカニ捕獲漁具の先端方向に摺動し、その力が捕獲テグス３０に加えられることになる。捕獲テグス３０は、末端が下部スイベルフック１４に結び付けられ、略紡錘型のカゴ体１０の表面に沿う形で曲げられていることから、捕獲テグス３０に加えられた力は捕獲テグス３０の曲げを大きくするように、即ち、カゴ体１０から離れ、カニを捕獲可能な間隙を設けるように作用する。
一方、操作ワイヤー４０を柄２０から引き出す方向に引張ると、その力が摺動部材２２を介して捕獲テグス３０がカニを挟むことが可能な方向に、カゴ体３０を包むように移動する。
【００１９】
（実施態様２）
図４〜５は、本考案のカニ捕獲漁具の一態様である釣り上げ型漁具を示す。
図４に示すように、本考案のカニ捕獲漁具の一態様において、略紡錘型のカゴ体１０の第二の極１２は平坦な錘５０からなり、該錘５０には、カゴ体１０の中心軸に二重シャフト６０が備えられている。二重シャフト６０は、カゴ体の中心軸方向に連結された内部シャフト６１と、外側を摺動する摺動部材６５に当接し得るトリガー節部６３を備えた外部シャフト６２とを含む。
外部シャフト６２の先端には、頂部フック６７が設けられており、カニ捕獲漁具をセットして水中に投入した際、垂直姿勢を保つよう浮子９０を付けることができる。また、頂部フック６７には、外部シャフト６２を引き上げ、さらにカニ捕獲漁具全体を引き上げることができるように、道糸テグスも結び付け釣竿の先端に連結させることも出来る。
【００２０】
捕獲テグス３０は、錘５０の側面に設けられた下部スイベルフック６４に結び付けられ、第二の極１２から第一の極１１へ配備され、第一の極１１にあるテグスガイド７０を通って集束し、上部フック６６を備えた摺動部材６５と連結している。そして該摺動部材６５がトリガー節部６３に当接され、摺動することによって、捕獲テグス３０とカゴ体１０との間に、カニを捕獲可能な間隙を設けたり（図４）、カニを挟むことが可能なように（図５）、緩緊自在に捕獲テグスを操作することができる（図４および５）。
【００２１】
カニ捕獲漁具を水中に入れる際、外部シャフト６２に設けられたトリガー節部６３をストッパーピン７１に挟み込むことによって二重シャフト６０の内外の各シャフトが重なり、最も短い状態になるとともに、摺動部材６５は下方に落ち、捕獲テグス３０は、カゴ体１０から緩んで離れ、カニを捕獲できるような間隙が開く（図４）。
捕獲テグス３０を緊縛する場合、図５に示すように、外部シャフト６２の頂部フック６７に結んだ道糸テグスを釣竿で煽りあげることにより、その力が頂部フック６７を通して外部シャフトに伝わり、トリガー節部６５がストッパーピン７１から外れ、摺動部材６５を押し上げ、捕獲テグス３０が伸びきった状態、即ち、カニを挟むことのできる緊縛状態で引き上げることができる。
【００２２】
この態様のカニ捕獲漁具では、海中に投入定置した場合、２ｍ以内程度の水深ならば、カニが餌に寄ってくる様子を視認することも可能で、引き上げる瞬間を決定できる。しかし定置時間が長いと、餌にうつぼなどの目的外獲物が近寄ってくる。そこで、カゴ体１０の、餌を収容する第一室の周囲のみ、例えば略四等分の方向に、棘状の「うつぼ返し」８０を設けることで、餌に噛み付いてくるうつぼを追い払い、カゴ体１０の網目が損傷されるのを防ぐ事ができる（図５）。なお、第一室の周囲に設置するうつぼ返し８０は、必要に応じて、２〜６箇所程度であってもよいが、うつぼ返し８０の配置方向は、捕獲テグスの緩緊の妨げにならないように、捕獲テグス３０の配置方向と重ならないようにするのが好ましい。
【００２３】
以上のことからも明らかであるが、本考案のカニ捕獲漁具は種々の態様によって実現される。各部材の材質や形状等は、目的となるカニの種類に併せて適宜選択することができる。
捕獲テグス３０の緩緊の程度は、主として捕獲テグスの材質や太さなどにより適宜調節し得るものであるが、捕獲テグス３０の剛性が弱すぎるとカゴ体１０から離れる方向にうまく移動しない虞がある。例えば、市販のテグスのうち、５号（標準直径：０．３７０ｍｍ）〜２０号（標準直径：０．７４０ｍｍ）程度のものを用いれば、良好に緩緊操作を行うことができる。特に、ショウジンカニやモクズカニなどの小型カニの捕獲には、１０号（標準直径：０．５２０ｍｍ）程度のものを用いることが好ましい。
捕獲テグス３０は、カニを捕獲する目的では少なくとも２本配備すれば十分であるが、効率よく捕獲するためには、３〜６本程度を配備するのが好ましく、特に、４本でカゴ体を略四等分する位置に配備するのが、カニの侵入、緩緊操作の容易さなどの観点から好ましい。
【産業上の利用可能性】
【００２４】
本考案は、カニを誘引するための餌を収納できる略紡錘型のカゴ体を用いることで、カニの捕獲の確実性を高めるカニ捕獲漁具に関し、該漁具は、食材やペットとしてのカニの捕獲のために商業的に十分に使用し得るものである。
特に、捕獲対象を「ショウジンカニ」や「モクズカニ」などの小型カニとした場合、単に食用としての商業的捕獲とする以外にも、一般人がレジャーとして川岸や磯辺でこの漁具を利用しても十分に楽しむこともできる。また、本考案にかかるカニ捕獲漁具は、これまで小型カニの存在を十分に理解していなかった消費者に、美味な食材としての認識を持ってもらうとともに、その獲物を楽しく捕獲するため、川岸や磯辺に出向き、本考案にかかる漁具の実用性を体感してもらうことによって、カニの商業的捕獲やレジャーとしての捕獲などが一層消費者に浸透して普及することに資するものである。
【図面の簡単な説明】
【００２５】
【図１】図１は、本考案のカニ捕獲漁具の一態様である絡め取り型漁具を示す模式図である。
【図２】図２Ａは、本考案のカニ捕獲漁具の連結部を示す模式図であり、図２Ｂは、本考案のカニ捕獲漁具の操作部を示す模式図である。
【図３】図３Ａおよび３Ｂは、本考案のカニ捕獲漁具の捕獲テグスの緩緊の各状態を示す模式図である。
【図４】図４は、本考案のカニ捕獲漁具の一態様である釣り上げ型漁具を示す模式図であり、水中投入する際の捕獲テグスが緩んだ状態を示す模式図である。
【図５】図５は、本考案のカニ捕獲漁具の一態様である釣り上げ型漁具を示す模式図であり、釣竿による引き上げで捕獲テグスが緊縛した状態を示す模式図である。
【符号の説明】
【００２６】
１０・・・カゴ体
１１・・・第一の極
１２・・・第二の極
１３・・・支持突起
１４、６４・・・下部スイベルフック
１５・・・穴
１６・・・仕切り
１７・・・第一室
１８・・・第二室
１９・・・扉
２０・・・柄
２１、２８・・・連結部
２２、６５・・・摺動部材
２３、６６・・・上部フック
２４・・・第一接続部材
２５、２９・・・スイベル
２６・・・第二接続部材
２７・・・ガイドチューブ
３０・・・捕獲テグス
４０・・・操作ワイヤー
４１・・・引出し口
４２・・・固定金具
４３・・・ループ
４４・・・操作把手
５０・・・錘
６０・・・二重シャフト
６１・・・内部シャフト
６２・・・外部シャフト
６３・・・トリガー節部
６７・・・頂部フック
７０・・・テグスガイド
７１・・・ストッパーピン
８０・・・うつぼ返し
９０・・・浮子
【図１】
0003105732.tif 000003
【図２】
0003105732.tif 000004
【図３】
0003105732.tif 000005
【図４】
0003105732.tif 000006
【図５】
0003105732.tif 000007